(57)【要約】      （修正有）【課題】画像表示部および操作部を、装置の設置場所に関わらず容易に視認したり、操作することができる画像読取記録装置を提供する。【解決手段】画像情報に基づいて記録シートに画像を形成する記録ユニット５０と、原稿の画像を読み取る読取ユニット７０とを備えた画像読取記録装置である。読取ユニットは原稿を支持する原稿台と原稿を原稿台に押し付ける圧板３とを有し、圧板の上面に、画像表示部１及び操作部２をそれぞれ独立して回動可能にかつ所定の角度位置に保持可能に軸支する。【選択図】図１
2009088759.tif 000002
【特許請求の範囲】
【請求項１】
画像情報に基づいて記録シートに画像を形成する記録ユニットと、原稿の画像を読み取る読取ユニットとを備えた画像読取記録装置において、
前記読取ユニットは原稿を支持する原稿台と原稿を前記原稿台に押し付ける圧板とを有し、
前記圧板の上面に、画像表示部及び操作部をそれぞれ独立して回転可能にかつ所定の角度位置に保持可能に軸支することを特徴とする画像読取記録装置。
【請求項２】
前記画像表示部の回転軸と前記操作部の回転軸は同軸であることを特徴とする請求項１に記載の画像形成装置。
【請求項３】
前記画像表示部及び前記操作部の回転軸は前記圧板に対し移動可能であることを特徴とする請求項２に記載の画像形成装置。
【請求項４】
前記画像表示部の表示面と前記操作部の操作面は、回転するときに互いに対向し、前記圧板に収納したときに前記表示面及び前記操作面が露出しないことを特徴とする請求項１ないし３のいずれか１項に記載の画像形成装置。
【請求項５】
前記画像表示部の表示面と反対側の面と、前記操作部の操作面と反対側の面は、表面の状態が識別可能な程度に異なることを特徴とする請求項１ないし４のいずれか１項に記載の画像形成装置。
【請求項６】
前記操作部は、前記圧板に対し複数の係合位置で係止可能な支持部材を介して、ユーザーが選択した角度位置に位置決め保持されることを特徴とする請求項１ないし５のいずれか１項に記載の画像読取記録装置。
【発明の詳細な説明】
【技術分野】
【０００１】
本発明は、画像を記録する記録ユニットと原稿を読み取る読取ユニットとを備えた画像読取記録装置に関する。
【背景技術】
【０００２】
近年、画像情報に基づいて記録シートに画像を形成する記録ユニットと原稿の画像を読み取る読取ユニットとを一体化した画像読取記録装置が使用されている。この画像読取記録装置は、モノクロ及びカラー画像を簡単にコピーすることができる点、読取ユニットで読み取った画像をパーソナルコンピュータに送信して保存したり、さらには編集することができる点で利便性が高いものである。また、最近では、各種カード型記録メディアを接続可能なコネクタを設けて、カード型記録メディアに記録された画像をパーソナルコンピュータを介さずに直接記録画像として出力可能な機種も使用されている。さらに、デジタルカメラを接続することで、デジタルカメラの記録画像を直接記録可能な機種も使用されている。
【０００３】
また、画像読取記録装置においては、記録ユニット（記録装置）の上にフラットベッド型の読取ユニットを載せた形態が主流となっている。読取ユニットは、原稿の画像をＣＣＤ等の読取手段で読み取る構成であり、原稿台に原稿を押し付けるための圧板が開閉可能に取り付けられている。そして、装置の上面を構成する圧板には、ユーザーインターフェイスとしての画像表示部や操作部が設けられており、使い勝手の向上が図られている。画像読取記録装置においては、小型化を図りながらも、使い勝手を向上させることが要請される。
【０００４】
これらの画像表示部や操作部は、例えばパソコンに繋がないユーザーがデジタルカメラから写真プリントを行う場合に、表示部に表示された画像を確認しながら操作部で記録命令を実行するために使用される。また、コピーを行う際にも、表示部に表示されたコピーモード（記録品位、記録枚数、用紙サイズ）を操作部で設定するために使用される。
【０００５】
特許文献１には、画像表示部や操作部の使い勝手を向上するために、プリンタ本体に固定された操作部とプリンタ本体に対して回動する表示部とを設け、使用時には表示部が起立し操作部が外部から操作可能となる構成が記載されている。また、特許文献２には、プリンタ・ファクシミリ装置において、操作パネルを装置本体から着脱可能にし、装置本体の複数箇所に着脱可能に装着する構成が記載されている。
【特許文献１】特開２００２−０３６６６５号公報
【特許文献２】特開２００３−１４３３３９号公報
【発明の開示】
【発明が解決しようとする課題】
【０００６】
しかしながら、特許文献１に記載された構成では、記録ユニットを比較的上方に設置した状態で画像表示部や操作部の使用空間を確保しようとすると、装置の設置場所が制限されたり、余分な空間が必要になるなどの課題があった。また、特許文献２に記載された構成では、操作パネルと装置本体との間を通信を有線もしくは無線によって確保する必要があり、有線の場合は配線が煩雑になり、無線の場合は無線手段を設ける必要がありコストアップになるという課題があった。
【０００７】
本発明はこのような技術的課題に鑑みてなされたものである。本発明の目的は、画像表示部及び操作部を、装置の設置場所に関わらず容易に視認したり、操作することができる画像読取記録装置を提供することである。
【課題を解決するための手段】
【０００８】
本発明は、上記目的を達成するため、画像情報に基づいて記録シートに画像を形成する記録ユニットと、原稿の画像を読み取る読取ユニットとを備えた画像読取記録装置において、前記読取ユニットは原稿を支持する原稿台と原稿を前記原稿台に押し付ける圧板とを有し、前記圧板の上面に、画像表示部及び操作部をそれぞれ独立して回動可能にかつ所定の角度位置に保持可能に軸支することを特徴とする。
【発明の効果】
【０００９】
本発明によれば、画像表示部や操作部を装置の設置場所に関わらず容易に視認したり、操作することができる画像読取記録装置が提供される。
【発明を実施するための最良の形態】
【００１０】
以下、図面を参照して本発明の実施形態を具体的に説明する。なお、各図面を通して同一符号は同一又は対応部分を示すものである。
〔第１の実施形態〕
図１は本発明の第１の実施形態に係る画像読取記録装置において圧板を閉じ画像表示部を開いた状態を示す斜視図である。図２は画像読取記録装置において画像表示部を閉じ圧板を開いた状態を示す斜視図である。画像読取記録装置は、画像情報に基づいて記録シートに画像を記録する記録ユニット５０と、原稿の画像を読み取る読取ユニット７０とを備えている。本実施形態は、記録ユニット５０の上に読取ユニット７０を配し、両ユニットを一体化した構造になっている。記録ユニット５０は、給紙トレイ１００または不図示の手差し口から記録シートを記録部へ給送し、記録シートに対し不図示の記録ヘッドにより画像を記録した後、記録シートを装置本体外へ排出し排紙トレイ１０１上に載置する。
【００１１】
読取ユニット７０はフラットベッド型をしており、原稿を支持する原稿台５と原稿を原稿台５に押し付ける圧板３とを備えている。原稿台５は透明ガラスで形成されており、圧板３の押さえ面には白板が設けられている。この読取ユニット７０は、原稿台５の上に裏向けに載置された原稿を圧板３で押さえつけ、原稿台５の下側に配置されたＣＣＤ等の読取手段により原稿の画像を読み取る。装置の上面を構成する圧板３は、装置本体に対し開閉可能に取り付けられている。また、画像読取記録装置には、画像情報が保存された各種メディアカードを読み取るためのスロットが設けられ、このスロットはユーザーにより開閉可能なカバー６で覆われている。また、デジタルカメラからのケーブルを接続するコネクタ部７が設けられ、ケーブルを接続することにより直接デジタルカメラから記録シートに画像を記録することができる。この場合の記録シートとしては、コート層を有する写真調印画紙などが使用される。
【００１２】
圧板３の上面には、画像読取記録装置のユーザーインターフェイスとしての画像表示部１及び操作部２が設けられている。画像表示部１はユーザーに情報を提供するためのものであり、各種の情報を液晶ディスプレイ等の表示面に表示する。この画像表示部１により、例えば出力する画像を確認したり、コピーモードを選択したり、インク残量やエラー発生の有無などの装置の状態を知ることができる。操作部２は記録ユニット５０及び読取ユニット７０に指令を出すためのものであり、ユーザーにより操作される。操作部２には、電源ボタン、モード選択ボタン、コピーボタン、中断ボタンなどが配置されている。例えば、原稿台５に載置された原稿を圧板で押圧した状態で、ユーザーがコピーの指令を操作すると、コピー動作が開始される。コピー動作においては、給紙トレイ１００に積載された記録シートから１枚をピックアップして記録部へ給送する。同時に、読取ユニット７０による原稿の読取動作が開始される。そして、記録部で読取情報に基づく記録が行われ、記録された記録シートは排紙トレイ１０１上へ排出される。
【００１３】
画像表示部１及び操作部２は、圧板３の上面に、それぞれ独立して回転可能にかつ所定の角度位置に保持可能に軸支されている。また、画像表示部１の回転軸と操作部２の回転軸は同軸に配置されている。さらに、画像表示部１及び操作部２の回転軸は、圧板３に対し、移動可能に支持されている。これらの構成について、以下に具体的に説明する。
【００１４】
図３は画像表示部１及び操作部２を圧板３に装着する機構を示す斜視図である。圧板３に対し、コの字状をしたアーム部材８が矢印ａ方向に移動（スライド）可能に取り付けられている。アーム部材８は矢印ａ方向の任意または所定の位置に保持可能である。アーム部材８の両側先端部には、画像表示部１及び操作部２が回転可能に軸支されている。本実施形態では、画像表示部１及び操作部２は、アーム部材８の先端に設けられた同軸心２３上で両矢印ｂ方向に回転可能に軸支されている。また、画像表示部１及び操作部２は、同軸心２３上でそれぞれ独立して回転可能である。また、画像表示部１及び操作部２は、アーム部材８に対し所定の回転抵抗をもって軸支されており、ユーザーにより任意の角度位置に保持可能である。画像表示部１は、各種の情報を表示するための表示面（モニタ）２１を有する。操作部２は電源ボタン、モード選択ボタン、コピーボタン、中断ボタンなどの各種の操作ボタンが配された操作面２２を有する。
【００１５】
図４は、画像表示部１の内部に設けられた液晶パネルなどからなるディスプレイ１０及び操作部２の内部に設けられた電気基板１１の電気接続を示す斜視図である。ディスプレイ１０は表示面２１を構成するものである。電気基板１１には、操作面２２上のボタンの動きを電気信号に変換するスイッチなどが搭載されており、操作部２の内部に設けられている。ディスプレイ１０と電気基板１１はフレキケーブル１２を介して電気接続されている。また、電気基板１１は、ハーネス１３を介して、装置本体のメイン基板に接続されている。なお、図４では、フレキケーブル１２及びハーネス１３は簡略して示されている。ただし、実際には、フレキケーブル１２及びハーネス１３は、画像表示部１及び操作部２の回転動作やアーム部８のスライド動作によって損傷を受けたり、耐久性が低下しないような構造で組み込まれている。
【００１６】
次に、画像表示部１及び操作部２を使用するときの動作について説明する。図５は画像表示部１及び操作部２を圧板３上に収納した状態を示す斜視図である。図５に示す収納状態では、アーム部材８は圧板３内で前方位置（図示の手前側先端位置）に保持されている。そして、画像表示部１の上に操作部２が水平方向に重ねられており、画像表示面２１と操作面２２が対面するとともに、それらの反対側の面（背面）が上下の外側面になっている。なお、図示の例では、画像表示部１の上に操作部２を重ねているが、これは操作部２の上に画像表示部１を重ねても良い。
【００１７】
図６は図５の収納状態から画像表示部１を開き回転させた状態を示す斜視図である。画像表示部１及び操作部２の位置は、ユーザーが比較的低い位置で画像読取記録装置を使用ときに好ましい位置である。つまり、ユーザーが低い位置で使用するときに、画像表示部１の情報を視認することが容易であり、画像表示部１の情報を確認しながら操作部２を容易に操作することが可能である。
【００１８】
図７は、図６の状態からアーム部８を手前へスライド移動させて画像表示部１及び操作部２を移動させた状態を示す斜視図である。図８は図７の状態から操作部２を回転させて所定の角度位置に保持している状態を示す斜視図である。図８の状態では、操作部２の操作面２２の反対側の面（背面）が圧板３と当接している。このため、操作部２は、ユーザーが操作面２２上の操作ボタンを押しても回転することがなく、図示のような所定の角度位置に保持される。図８の状態では、ユーザーが画像表示部１を下方から容易に視認することができ、表示面２１の情報を確認しながら操作部２を容易に操作することができる。つまり、図８の状態は、ユーザーが画像読取記録装置が比較的高い位置に設置して使用する場合に使い勝手が良い状態である。このように、本実施形態によれば、画像読取記録装置の画像表示部や操作部を装置の設置場所に関わらず容易に視認したり、操作することが可能になる。
【００１９】
図９は図８の状態から画像表示部１を圧板３に収納する位置（水平位置）に回転させるとともに、操作部２を回転させて前方へ水平に突き出る角度位置に保持している状態を示す斜視図である。図５の収納状態は、図９の状態から操作部２を圧板３上の収納位置へ回転した状態に相当する。図５の収納状態では、画像表示部１と操作部２は、表示面２１と操作面２２が対面して水平方向に重なる状態で、圧板３の上面に収納される。そして、操作部２が画像表示部１の上に重ねられており、操作部２の背面（操作面２２と反対側の面）は圧板３の上面とほぼ同じ面に揃っている。なお、図２は図１の状態から画像表示部１を収納位置へ回転させるとともに圧板３を開いた状態を示す。そして、図２では、操作部１の上に画像表示部１が重ねられており、表示面２１の反対側の面（背面）が圧板３の上面と同一面に揃っており、この点で図５の収納状態は図２の収納状態と相違している。これは、画像表示部１と操作部２が軸心２３を中心に個別に所定の角度位置に回転可能であるからである。なお、図示の構成では、画像表示部１と操作部２の回転中心を同軸上に配したが、画像表示部と操作部の回転中心はそれぞれ異なる軸上に配しても良い。
【００２０】
以上の構成から明らかなごとく、本実施形態では、画像表示部１の表示面２１と操作部２の操作面２２は、画像表示部１及び操作部２が回転するときに対向するように配置されている。かかる構成によれば、画像読取記録装置の設置場所に関わらず、画像表示部１及び操作部２を容易に視認したり、操作することが可能になる。また、画像表示部１及び操作部２を圧板３に収納したときに表示面２１及び操作面２２が露出しないように構成されている。かかる構成においては、画像表示部１の表示面２１の背面と、操作部２の操作面２２の背面とで、表面の状態を異ならせて識別可能とすることが好ましい。これにより、画像表示部１及び操作部２を圧板３上に収納したときに、画像表示部１及び操作部２のいずれが上面に位置しているかを容易に確認することができる。
【００２１】
〔第２の実施形態〕
図１０は第２の実施形態に係る画像読取記録装置において画像表示部及び操作部を圧板に装着する機構を示す斜視図である。本実施形態では、図８に示すような使用位置から操作部２を回転させて所定の角度位置に位置決めするための係止機構が設けられている。図１０において、操作部２の両側にピン３１を介して支持アーム３０が回転可能に連結されている。各支持アーム３０の圧板３側の他端部には係止部３２が設けられており、圧板３には各係止部３２と係止可能な複数段の係合部（不図示）が設けられている。ユーザーが係止部３２を係止させる圧板３の係合部を選択することにより、操作部２を所望の角度位置に位置決め固定することができる。なお、両側の支持アームに複数段の係止部を設けるとともに、圧板３に設けた係合部に係止させる係止部を選択することにより、操作部２の角度位置を設定する構成にしても良い。
【００２２】
本実施形態は、以上の点で第１の実施形態と相違し、その他の点では同じ構成を有している。本実施形態によれば、操作部２は、圧板３に対し複数の係合位置で係止可能な支持部材３０を介して、ユーザーが選択した角度位置に位置決め保持される。従って、第１の実施形態の効果に加え、ユーザーが操作面２２上の操作ボタンをかなり強い力で押圧する場合でも、操作部２が移動することを防止し、操作部２を選択した位置に確実に保持することが可能になる。
【図面の簡単な説明】
【００２３】
【図１】第１の実施形態に係る画像読取記録装置において圧板を閉じ画像表示部を開いた状態を示す斜視図である。
【図２】画像読取記録装置において画像表示部を閉じ圧板を開いた状態を示す斜視図である。
【図３】画像表示部及び操作部を圧板に装着する機構を示す斜視図である。
【図４】画像表示部の内部に設けられたディスプレイ及び電気基板の電気接続を示す斜視図である。
【図５】画像表示部及び操作部を圧板上に収納した状態を示す斜視図である。
【図６】図５の収納状態から画像表示部を開き回転させた状態を示す斜視図である。
【図７】図６の状態からアーム部を手前へスライド移動させて画像表示部及び操作部を移動させた状態を示す斜視図である。
【図８】図７の状態から操作部を回転させて所定の角度位置に保持している状態を示す斜視図である。
【図９】図８の状態から画像表示部を圧板に収納する位置に回転させるとともに、操作部を回転させて前方へ水平に突き出る角度位置に保持している状態を示す斜視図である。
【図１０】第２の実施形態に係る画像読取記録装置において画像表示部及び操作部を圧板に装着する機構を示す斜視図である。
【符号の説明】
【００２４】
１      画像表示部
２      操作部
３      圧板
５      原稿台
８      アーム部
２１    表示面
２２    操作面
２３    回転軸の軸心
５０    記録ユニット
７０    読取ユニット
【図１】
2009088759.tif 000003
【図２】
2009088759.tif 000004
【図３】
2009088759.tif 000005
【図４】
2009088759.tif 000006
【図５】
2009088759.tif 000007
【図６】
2009088759.tif 000008
【図７】
2009088759.tif 000009
【図８】
2009088759.tif 000010
【図９】
2009088759.tif 000011
【図１０】
2009088759.tif 000012